(57)【要約】【課題】  光熱費の削減及び地球温暖化の原因となっている大気への熱負荷を軽減する空気調和機の室外機を提供する。【解決手段】  複数枚並設されているアルミニウムフィンに蛇行状に貫通している銅製の伝熱管と、該伝熱管の内部に水道水を送水するための水道水入口及び水道水出口とで構成されている熱交換器コイルを、吹き出し口の前面に傾斜させてベースの上に設けると共に、熱交換器コイルの左右の側面及び天上面を透明なガラスで囲んだことを特徴とする空気調和機の室外機である。【選択図】図２
2008267769.tif 000002
【特許請求の範囲】
【請求項１】
複数枚並設されているアルミニウムフィンに蛇行状に貫通している銅製の伝熱管と伝熱管の内部に水道水を送水するための水道水入口及び水道水出口とで構成されている熱交換器コイルを、吹き出し口の前面に傾斜させて設けることを特徴とする空気調和機の室外機。
【請求項２】
熱交換器コイルの水道水出口にから浴槽へ給水配管し、配管の先端に浴槽から水道水が溢れないように、自動的に所定の位置で止まる装置を設けることを、特徴とする空気調和機の室外機。
【請求項３】
熱交換器コイルの左右の側面及び天上面を透明なガラスで囲んだことを特徴とする空気調和機の室外機。
【発明の詳細な説明】
【技術分野】
【０００１】  本発明は、光熱費の削減及び地球温暖化の原因となっている大気への熱負荷を軽減することを図った空気調和機の室外機に関するものである。
【背景技術】
【０００２】  従来の空気調和機の室外機は、冷房運転において外気を吸い込み口側の熱交換器により加熱し、加熱した外気はファンによって、熱風となり吹き出し口から大気中へ放出していた。
【発明の開示】
【発明が解決しようとする課題】
【０００３】  そのために次のような問題点があった。
（イ）空気調和機の室外機の冷房運転において、吹き出し口から放出される熱風は、大気温度を上昇させ地球温暖化の原因の１つになっている。
（ロ）空気調和機の室外機の冷房運転において、吹き出し口から放出される熱風を有効利用していない。
本発明は、これらの問題点を解決するためになされたものである。
【課題を解決するための手段】
【０００４】  複数枚並設されているアルミニウムフィンに蛇行状に貫通している伝熱管と伝熱管の内部に水道水を送水するための水道水入口及び水道水出口とで構成されている熱交換器コイルを、吹き出し口の前面に傾斜させて設けると共に、熱交換器コイルの左右の側面及び天上面を透明なガラスで囲んだことを特徴とする空気調和機の室外機である。
【発明の効果】
【０００５】  従来使用の空気調和機の室外機より、地球温暖化の原因となっている大気への熱負荷の放出を軽減すると共に、室外機から放出される熱風を有効利用することにより、浴槽の追い焚きの光熱費の削減及び大気への熱負荷の軽減になる。
また、熱交換器コイルの左右の側面及び天上面を透明なガラスで囲むことにより、太陽熱を効果的に熱交換器コイルに集熱して、熱交換器コイルの伝熱管内部の水道水の水温を上昇させてから浴槽へ使用するので追い焚きの光熱費の削減になる。
【発明を実施するための最良の形態】
【０００６】  以下、本発明の実施するための形態を図１〜図４に基づいて説明する。【０００７】  空気調和機の室外機は、第１図に示すような構成になっている。
室外機本体１の内部には吹き出し口２を境に、熱交換器室３と熱交換器コイル室４に区画されている。熱交換器室３には、熱交換器５とファンモーター６の運転により回転するファン７があり、圧縮機と制御回路がある。熱交換器コイル室４には熱交換器コイル８があり、熱交換器コイル８は第１図及び第２図に示すように、吹き出し口２の前面に傾斜してベース９の上に設けられていて、熱交換器コイル８の左右の側面及び天上面は、透明なガラス１４で囲まれている。熱交換器コイル８は、第３図に示すような構成になっている。複数枚並設されているアルミニウムフィン１０に蛇行状に貫通している銅製の伝熱管１１と伝熱管１１の内部に水道水を送水する為の水道水入口１２及び水道水出口１３がある。この様な構成された室外機１で、冷房運転において、第１図に示すように、ファンモーター６が起動してファン７の回転により、外気は矢印の方向へ進む。外気は、室外機内に吸い込まれ熱交換器５を通過することにより加熱され、熱風となって、熱交換器コイル８へ送風される。熱交換器コイル８において、第４図に示すように、水道蛇口１５を開くと、外気温度より低い水温の水道水は配管１６を通り、熱交換器コイル８の水道水入口１２から伝熱管１１へ送水すると、水道水は伝熱管１１及びアルミニュウムフィン１０を冷却する。熱風は、冷却した伝熱管１１及びアルミニウムフィン１０に接触することにより、冷却され大気中へ放出するので、大気への熱負荷は軽減する。
逆に、吹き出し口２の前面に傾斜して設けられている、熱交換器コイル８の伝熱管１１の内部の水道水は、熱風により温まる。温まった水道水は、配管１７を通り水道水が溢れないように、自動的に所定の水位で止まる装置であるオーバーブロー防止装置１８が作動するまで浴槽１９へ給水する。温まった水道水が、浴槽１９へ給水することにより、浴槽１９の追い焚きの光熱費の削減及び大気へ放出される熱負荷の軽減となる。
また、室外機を使用しない時、外気温度が水道水温より高い場合、ファンモーター６だけを単独運転してファン７を回転すると同時に、熱交換コイル８の伝熱管１１へ水道水入口１２から水道水を送水することにより、伝熱管１１の内部の水道水は外気により温まり、水道水温は上昇する。水温が上昇した水道水を、水道出口１５より、浴槽１９へ給水することにより、浴槽１９の追い焚きの光熱費の削減及び大気への熱負荷の軽減となる。
【図面の簡単な説明】
【０００８】
【図１】空気調和機の室外機の断面図
【図２】熱交換器室及び熱交換器コイル室の斜視図
【図３】熱交換器コイルの斜視図
【図４】本発明の運転の工程図
【符号の説明】
【０００９】  １本体
２吹き出し口
３熱交換器室
４熱交換器コイル室
５熱交換器
６ファンモーター
７ファン
８熱交換器コイル
９ベース
１０アルミニュウムフィン
１１伝熱管
１２水道水入り口
１３水道水出口
１４ガラス
１５水道蛇口
１６配管
１７配管
１８オーバーブロー防止装置
１９浴槽
【図１】
2008267769.tif 000003
【図２】
2008267769.tif 000004
【図３】
2008267769.tif 000005
【図４】
2008267769.tif 000006
【手続補正書】
【提出日】平成20年2月8日(2008.2.8)
【手続補正１】
【補正対象書類名】明細書
【補正対象項目名】０００７
【補正方法】変更
【補正の内容】
【０００７】  空気調和機の室外機は、第１図に示すような構成になっている。
室外機本体１の内部には吹き出し口２を境に、熱交換器室３と熱交換器コイル室４に区画されている。熱交換器室３には、熱交換器５とファンモーター６の運転により回転するファン７があり、圧縮機（図示せず）と制御回路（図示せず）がある。熱交換器コイル室４には熱交換器コイル８があり、熱交換器コイル８は第１図及び第２図に示すように、吹き出し口２の前面に傾斜してベース９の上に設けられていて、熱交換器コイル８の左右の側面及び天上面は、透明なガラス１４で囲まれている。熱交換器コイル８は、第３図に示すような構成になっている。複数枚並設されているアルミニウムフィン１０に蛇行状に貫通している銅製の伝熱管１１と伝熱管１１の内部に水道水を送水する為の水道水入口１２及び水道水出口１３がある。この様な構成された室外機１で、冷房運転において、第１図に示すように、ファンモーター６が起動してファン７の回転により、外気は矢印の方向へ進む。外気は、室外機内に吸い込まれ熱交換器５を通過することにより加熱され、熱風となって、熱交換器コイル８へ送風される。熱交換器コイル８において、第４図に示すように、水道蛇口１５を開くと、外気温度より低い水温の水道水は配管１６を通り、熱交換器コイル８の水道水入口１２から伝熱管１１へ送水すると、水道水は伝熱管１１及びアルミニュウムフィン１０を冷却する。熱風は、冷却した伝熱管１１及びアルミニウムフィン１０に接触することにより、冷却され大気中へ放出するので、大気への熱負荷は軽減する。
逆に、吹き出し口２の前面に傾斜して設けられている、熱交換器コイル８の伝熱管１１の内部の水道水は、熱風により温まる。温まった水道水は、配管１７を通り水道水が溢れないように、自動的に所定の水位で止まる装置であるオーバーブロー防止装置１８が作動するまで浴槽１９へ給水する。温まった水道水が、浴槽１９へ給水することにより、浴槽１９の追い焚きの光熱費の削減及び大気へ放出される熱負荷の軽減となる。
また、室外機を使用しない時、外気温度が水道水温より高い場合、ファンモーター６だけを単独運転してファン７を回転すると同時に、熱交換コイル８の伝熱管１１へ水道水入口１２から水道水を送水することにより、伝熱管１１の内部の水道水は外気により温まり、水道水温は上昇する。水温が上昇した水道水を、水道水出口１３より、浴槽１９へ給水することにより、浴槽１９の追い焚きの光熱費の削減及び大気への熱負荷の軽減となる。
【手続補正書】
【提出日】平成20年2月8日(2008.2.8)
【手続補正１】
【補正対象書類名】特許請求の範囲
【補正対象項目名】全文
【補正方法】変更
【補正の内容】
【特許請求の範囲】
【請求項１】
複数枚並設されているアルミニウムフィンに蛇行状に貫通している銅製の伝熱管と、該伝熱管の内部に水道水を送水するための水道水入口及び水道水出口とで構成されている熱交換器コイルを、吹き出し口の前面に傾斜させてベースの上に設けることを特徴とする空気調和機の室外機。
【請求項２】
前記熱交換器コイルの水道水出口にから浴槽へ給水配管し、該給水配管の先端に浴槽から水道水が溢れないように、自動的に所定の位置で止まる装置を設けることを、特徴とする空気調和機の室外機。
【請求項３】
前記熱交換器コイルの左右の側面及び天上面を透明なガラスで囲んだことを特徴とする空気調和機の室外機。
【手続補正書】
【提出日】平成20年2月15日(2008.2.15)
【手続補正１】
【補正対象書類名】明細書
【補正対象項目名】０００７
【補正方法】変更
【補正の内容】
【０００７】  空気調和機の室外機は、図１に示すような構成になっている。
室外機本体１の内部には吹き出し口２を境に、熱交換器室３と熱交換器コイル室４に区画されている。熱交換器室３には、熱交換器５とファンモーター６の運転により回転するファン７があり、圧縮機（図示せず）と制御回路（図示せず）がある。熱交換器コイル室４には熱交換器コイル８があり、熱交換器コイル８は図１及び図２に示すように、吹き出し口２の前面に傾斜してベース９の上に設けられていて、熱交換器コイル８の左右の側面及び天上面は、透明なガラス１４で囲まれている。熱交換器コイル８は、図３に示すような構成になっている。複数枚並設されているアルミニウムフィン１０に蛇行状に貫通している銅製の伝熱管１１と伝熱管１１の内部に水道水を送水する為の水道水入口１２及び水道水出口１３がある。この様な構成された室外機１で、冷房運転において、図１に示すように、ファンモーター６が起動してファン７の回転により、外気は矢印の方向へ進む。外気は、室外機内に吸い込まれ熱交換器５を通過することにより加熱され、熱風となって、熱交換器コイル８へ送風される。熱交換器コイル８において、図４に示すように、水道蛇口１５を開くと、外気温度より低い水温の水道水は配管１６を通り、熱交換器コイル８の水道水入口１２から伝熱管１１へ送水すると、水道水は伝熱管１１及びアルミニュウムフィン１０を冷却する。熱風は、冷却した伝熱管１１及びアルミニウムフィン１０に接触することにより、冷却され大気中へ放出するので、大気への熱負荷は軽減する。
逆に、吹き出し口２の前面に傾斜して設けられている、熱交換器コイル８の伝熱管１１の内部の水道水は、熱風により温まる。温まった水道水は、配管１７を通り水道水が溢れないように、自動的に所定の水位で止まる装置であるオーバーブロー防止装置１８が作動するまで浴槽１９へ給水する。温まった水道水が、浴槽１９へ給水することにより、浴槽１９の追い焚きの光熱費の削減及び大気へ放出される熱負荷の軽減となる。
また、室外機を使用しない時、外気温度が水道水温より高い場合、ファンモーター６だけを単独運転してファン７を回転すると同時に、熱交換コイル８の伝熱管１１へ水道水入口１２から水道水を送水することにより、伝熱管１１の内部の水道水は外気により温まり、水道水温は上昇する。水温が上昇した水道水を、水道水出口１３より、浴槽１９へ給水することにより、浴槽１９の追い焚きの光熱費の削減及び大気への熱負荷の軽減となる。